(57)【要約】      （修正有）【課題】自由に増長型の簾部材に適用し必要な長さに変化させ、簾材部をスムーズに連動させるコードレス簾部材の連動構造を提供する。【解決手段】コードレス簾部材の連動構造は、上梁１０と下梁２０を含み、上梁と下梁との間には連結する簾部材３０が設けられ、上梁の両側にはそれぞれ相対に設置する巻線器４１、４２及び巻線器と連動する動力部６０が設けられ、巻線器と動力部内部に取付けられる第一巻線ローラーセット５１と第二巻線ローラーセット５２で構成される。２つの巻線器を対角に設置することで動力部を上梁の第一ガイドレール１２内で移動させる。第一巻線器と動力部内の２つの巻線ローラーセットが連動コード８０を共有するので、巻線ローラーセットをコード儲存空間とするだけで、連動コードの長さを増加させて簾部材と下梁の展開と収納を行うことができる。【選択図】図１
0003220067.tif 000002
【実用新案登録請求の範囲】
【請求項１】
コードレス簾部材の連動構造であり、主に上梁と下梁を含み、前記上梁と前記下梁との間には連結する簾部材が設けられ、前記上梁の両側にはそれぞれ相対に設置する巻線器及び巻線器と連動効果を生成する動力部が設けられ、巻線器と前記動力部内部に取付けられる第一巻線ローラーセットと第二巻線ローラーセットで構成され、
前記上梁はＵ字型断面または大概Ｕ字型断面の柱体であり、前記上梁が取付け空間を備え、前記取付け空間が二つのガイドレールを設け、二つの前記ガイドレールが第一ガイドレールと第二ガイドレールに定義することができ、二つの前記ガイドレールの間には二つの貫通するコード孔を設け、
二つの前記巻線器が第一巻線器と第二巻線器に定義することができ、それぞれ前記上梁の前記第一ガイドレールと前記第二ガイドレールの両側に設置され、前記第一巻線器と前記第二巻線器が固定端と巻線ローラー台を設置し、各前記固定端の底部が二つの固設部を備え前記上梁に固設し、又各前記固定端が外側の方向に向くフックを設置し、
前記動力部が前記第一ガイドレール上に設置され、前記動力部が座体を備え、前記座体上には前記第一巻線ローラーセットと前記第二巻線ローラーセットが設置され、前記動力部の前記第一巻線ローラーセットと前記第二巻線ローラーセットを通じて連動コードが前記巻線エリアに巻かれ、更に前記連動コードを前記コード孔に通し前記下梁に固結させ、又、前記動力部の前記第一巻線ローラーセットと前記第二巻線ローラーセットと相対する側にはフックが設けられ、前記フックが弾性部材を通じて前記第二巻線器の前記固定端の前記フックに掛かり、
故に、前記下梁を引下ろすことで前記動力部を前記第一巻線器の方向に移動させ、簾部材を展開させることができ、前記下梁を推上げた場合、前記弾性部材が前記動力部を引くことで前記動力部を前記第二巻線器方向に移動させ、簾部材を収納することができることを特徴とする、コードレス簾部材の連動構造。
【請求項２】
各前記巻線ローラー台中央が隔板を設け、前記第一巻線ローラーセットと前記第二巻線ローラーセットが前記隔板上に設置されるようにし、且つ前記隔板がＶ字型の軸スロットを設けることを特徴とする、請求項１に記載のコードレス簾部材の連動構造。
【請求項３】
前記第一巻線ローラーセットと前記第二巻線ローラーセットのローラーの直径の大きさが異なることを特徴とする、請求項２に記載のコードレス簾部材の連動構造。
【請求項４】
各前記第一巻線ローラーセットと前記第二巻線ローラーセットがいずれも三つのローラーリングとローラーリングの連接に用いられる一つの軸心を備え、各ローラーリングの間には巻線エリアが形成されることを特徴とする、請求項１に記載のコードレス簾部材の連動構造。
【請求項５】
コードレス簾部材の連動構造であり、上梁と、中梁と、下梁とを含み、前記中梁と前記下梁の間には連結に用いられる簾部材が設置され、前記上梁内には第一巻線器と第二巻線器と第一動力部と第二動力部が設置され、前記第一動力部が第一連動コードを備え、前記第一連動コードが前記第一巻線器の第一巻線ローラーセットと第二巻線ローラーセットに巻かれた後、コード孔を通り前記中梁に固結し、前記第二動力部が第二連動コードを備え、前記第二連動コードが前記第二巻線器の前記第一巻線ローラーセットと前記第二巻線ローラーセットに巻かれた後、前記コード孔を通り前記下梁に固結し、故に前記第一巻線器が前記中梁の位置をコントロールするのに用いられ、室内で光の調節が必要な場合、前記中梁を引動かすだけで、光の調整効果を達成させることができることを特徴とする、コードレス簾部材の連動構造。
【考案の詳細な説明】
【技術分野】
【０００１】
本考案はコードレス簾部材の連動構造に関し、とりわけ上梁と下梁を備えるコードレスカーテンであり、ローラーセットが連動コードを巻くことで簾部材の収納作動のコントロールを行う構造である。
【先行技術文献】
【特許文献】
【０００２】
【特許文献１】台湾特許公報公告第Ｍ２９６３００号明細書
【特許文献２】台湾特許公報公告第Ｍ４６７７２４号明細書
【背景技術】
【０００３】
カーテンの形態と功能は絶えず変化するので、本考案の出願人は手動コード式でカーテンの昇降をコントロールする伝統的なカーテンによる手の怪我を防ぐ為に、研究開発を行い実用新案Ｍ２９６３００号「カーテンのコードレス構造（二）」（以下先行文献一）の登録を得た。それは巻線制御器の連動コードが開閉コードを巻く動力部と固定部に適用することを利用し、連動コードに動力部と固定部が巻く開閉コードと相互に連動を形成させることができ、手による下梁の推上げと引下ろしによって生じる力だけで開閉コードの動力部上における縛り具合を変化させて連動コードを連動させ、両者間に抑制と均衡の状態を形成させ、使用者に手による下梁の推上げと引下ろしによる力だけで簾部材の展開と収納位置を任意に調整させることができる。
【０００４】
本考案の出願人は先行文献一を更に改良し、実用新案Ｍ４６７７２４号「コードレスカーテンの構造」（以下先行文献二）のように、先行文献一に用いる弾性を動力部の巻線制御器に連接させ、それは回転部、二つのねじりバネ、連動コード等を含む。その複雑な構造を改良して一つのバネにし、バネの一端を移動スライド部（即ち先行文献一の動力部）に連接させ、もう一端を上梁に固設させる。
【０００５】
上述の先行文献一、先行文献二の欠点は、簾部材の長さを増加させる場合、それを制御する連動コードの長さも相対的に増加させなければならず、上梁の限られたスペース内に二組の巻線器と、動力部と、バネとを取付けるが、実際に儲存する連動コードを収容するスペースがないことである。
【考案の概要】
【考案が解決しようとする課題】
【０００６】
本考案の目的は上述の欠点を改善することであり、主要技術と目的はコードレス簾部材の連動構造を提供することである。それは主に巻線器と動力部の構造を変化させ、前述の両者に対応する数のローラーセットを取付け、上梁の限られたスペース内に更に多くのコードの長さを儲存することができるので、自由に増長型の簾部材に適用し必要な長さに変化させることができ、簾材部を更にスムーズに連動させることができる。
【課題を解決するための手段】
【０００７】
上述の目的を達成できる構造は、主に上梁と下梁を含み、前記上梁と前記下梁との間には連結する簾部材が設けられ、前記上梁の両側にはそれぞれ相対に設置する巻線器及び巻線器と連動効果を生成する動力部が設けられ、そして巻線器と前記動力部内部に取付けられる第一巻線ローラーセットと第二巻線ローラーセットで構成される。
前記上梁はＵ字型断面または大概Ｕ字型断面の柱体であり、前記上梁は取付け空間を備え、前記取付け空間は二つのガイドレールを設け、二つの前記ガイドレールは第一ガイドレールと第二ガイドレールに定義することができ、二つの前記ガイドレールの間には二つの貫通するコード孔を設ける。
二つの前記巻線器は第一巻線器と第二巻線器に定義することができ、それぞれ前記上梁の前記第一ガイドレールと前記第二ガイドレールの両側に設置され、前記第一巻線器と前記第二巻線器は固定端と巻線ローラー台を設置し、各前記固定端の底部は二つの固設部を備え前記上梁に固設する。又各前記固定端は外側の方向に向くフックを設置し、各前記巻線ローラー台中央は隔板を設け、前記第一巻線ローラーセットと前記巻線ローラーセットが前記隔板上に設置されるようにし、且つ前記隔板はＶ字型の軸スロットを設け、前記第一巻線ローラーセットと前記第二巻線ローラーセットの外型の大きさは同じであり、違いはローラーの直径の大きさであり、各前記第一巻線ローラーセットと前記第二巻線ローラーセットはいずれも三つのローラーリングとローラーリングの連接に用いられる一つの軸心を備え、各ローラーリングの間には巻線エリアが形成される。
前記動力部は前記第一ガイドレール上に設置され、前記動力部は座体を備え、前記座体上には隔板が設置され、前記隔板も同様にＶ字型の軸スロットを備え、且つ前記軸スロット上には前記第一巻線ローラーセットと前記第二巻線ローラーセットが設置され、前記動力部の前記第一巻線ローラーセットと前記第二巻線ローラーセットを通じて連動コードは前記巻線エリアに巻かれ、そして前記連動コードが前記第一巻線器の前記第一巻線ローラーセットと前記第二巻線ローラーセットの前記巻線エリアに巻かれた後、更に前記連動コードを前記コード孔に通し前記下梁に固結させる。又、前記動力部の前記第一巻線ローラーセットと前記第二巻線ローラーセットと相対する側にはフックが設けられ、前記フックは弾性部材を通じて前記第二巻線器の前記固定端の前記フックに掛かる。
故に、前記下梁を引下ろすことで前記動力部を前記第一巻線器の方向に移動させ、簾部材を展開させることができ、前記下梁を推上げた場合、前記弾性部材が前記動力部を引くことで前記動力部を前記第二巻線器方向に移動させ、簾部材を収納することができる。
【考案の効果】
【０００８】
本考案の技術手段に基づくことで得られる効果を以下に簡単に説明する。
１．前記第一巻線器と前記第二巻線器はそれぞれ前記上梁の両側に設置され、それを対角に設置することで前記動力部を前記上梁の第一ガイドレール内で移動させる。前記第一巻線器と前記動力部内の前記第一巻線ローラーセットと前記第二巻線ローラーセットが前記連動コードを設置するので、前記簾部材の長さが増加する際、前記第一巻線ローラーセットと前記第二巻線ローラーセットをコード儲存空間とするだけで、前記簾部材と前記下梁に合わせて前記連動コードの長さを増加させて展開と収納作動を行うことができ、故に前記簾部材の長さは規格或いはカスタマイズに限らず、いずれも前記上梁の限られた空間による制限を受けずに増設することができ、非常に実用的である。
２．各前記巻線ローラー台中央は隔板を設け、前記第一巻線ローラーセットと前記巻線ローラーセットが前記隔板上に設置されるようにし、且つ前記隔板はＶ字型の軸スロットを設ける。
３．前記第一巻線ローラーセットと前記第二巻線ローラーセットの外型の大きさは同じであり、違いはローラーの直径の大きさである。
４．各前記第一巻線ローラーセットと前記第二巻線ローラーセットはいずれも三つのローラーリングとローラーリングの連接に用いられる一つの軸心を備え、各ローラーリングの間には巻線エリアが形成される。
【図面の簡単な説明】
【０００９】
【図１】本考案の構造立体図である。
【図２】本考案の構造分解立体図である。
【図３】第一、第二巻線器と動力部の構造分解立体図である。
【図４】本考案の使用状態図（一）である。
【図５】本考案の側面図である。
【図６】本考案の使用状態図（二）である。
【図７】本考案のもう一つの実施方式の構造立体図である。
【考案を実施するための形態】
【００１０】
本考案の特徴についての更なる理解に資するため、以下に好ましい実施例を列挙し図面とともに説明する。
【００１１】
図１から図６を参照すると、本考案の第一実施例のコードレス簾体の連動構造は、主に上梁１０と下梁２０を含み、前記上梁１０と前記下梁２０との間には連結する簾部材３０が設けられ、前記上梁１０の両側にはそれぞれ相対に設置する巻線器及び巻線器と連動効果を生成する動力部６０が設けられ、そして巻線器と前記動力部６０内部に取付けられる第一巻線ローラーセット５１と第二巻線ローラーセット５２で構成される。
【００１２】
前記上梁１０はＵ字型断面または大概Ｕ字型断面の柱体であり、前記上梁１０は取付け空間１１を備え、前記取付け空間１１は二つのガイドレールを設け、二つの前記ガイドレールは第一ガイドレール１２と第二ガイドレール１３に定義することができ、二つの前記ガイドレールの間には二つの貫通するコード孔１４を設ける。
【００１３】
二つの前記巻線器は第一巻線器４１と第二巻線器４２に定義することができ、それぞれ前記上梁１０の前記第一ガイドレール１２と前記第二ガイドレール１３の両側に設置され、前記第一巻線器４１と前記第二巻線器４２は固定端４３と固定端４４と巻線ローラー台４５と巻線ローラー台４６を設置し、各前記固定端４３と前記固定端４４の底部は二つの固設部を備え前記上梁１０に固設する。又各前記固定端４３と前記固定端４４は外側の方向に向くフック４７とフック４８を設置し、各前記巻線ローラー台４５と前記巻線ローラー台４６中央は隔板４５１と隔板４６１を設け、前記第一巻線ローラーセット５１と前記巻線ローラーセット５２が前記隔板４５１と前記隔板４６１上に設置されるようにし、且つ前記隔板４５１と前記隔板４６１はＶ字型の軸スロット４５２と軸スロット４６２を設け、前記第一巻線ローラーセット５１と前記第二巻線ローラーセット５２の外型の大きさは同じであり、違いはローラーの直径の大きさであり、各前記第一巻線ローラーセット５１と前記第二巻線ローラーセット５２はいずれも三つのローラーリングとローラーリングの連接に用いられる一つの軸心５３を備え、各ローラーリングの間には巻線エリア５４が形成される。
【００１４】
前記動力部６０は前記第一ガイドレール１２上に設置され、前記動力部６０は座体６１を備え、前記座体６１上には隔板６２が設置され、前記隔板６２も同様にＶ字型の軸スロット６２１を備え、且つ前記軸スロット６２１上には前記第一巻線ローラーセット５１と前記第二巻線ローラーセット５２が設置され、前記動力部６０の前記第一巻線ローラーセット５１と前記第二巻線ローラーセット５２を通じて連動コード８０は前記巻線エリア５４に巻かれ、そして前記連動コード８０が前記第一巻線器４１の前記第一巻線ローラーセット５１と前記第二巻線ローラーセット５２の前記巻線エリア５４に巻かれた後、更に前記連動コード８０を前記コード孔１４に通し前記下梁２０に固結させる。又、前記動力部６０の前記第一巻線ローラーセット５１と前記第二巻線ローラーセット５２と相対する側にはフック６３が設けられ、前記フック６３は弾性部材７０を通じて前記第二巻線器４２の前記固定端４４の前記フック４８に掛かる。
【実施例１】
【００１５】
上述の構造を通じて、本考案の使用方式及び機能を以下に記載する。
１．図１から図６を参照すると、前記第一巻線器４１と前記第二巻線器４２はそれぞれ前記上梁１０の両側に設置され、それを対角に設置することで前記動力部６０を前記上梁１０の第一ガイドレール内で移動させる。前記第一巻線器４１と前記動力部６０内の前記第一巻線ローラーセット５１と前記第二巻線ローラーセット５２が前記連動コード８０を設置するので、前記簾部材３０の長さが増加する際、前記第一巻線ローラーセット５１と前記第二巻線ローラーセット５２をコード儲存空間とするだけで、前記簾部材３０と前記下梁２０に合わせて前記連動コード８０の長さを増加させて展開と収納作動を行うことができ、故に前記簾部材３０の長さは規格或いはカスタマイズに限らず、いずれも前記上梁１０の限られた空間による制限を受けずに増設することができ、非常に実用的である。
２．図４を参照し本考案の使用方式を具体的に説明する。前記簾部材３０を収納する場合、前記下梁２０を推して前記簾部材３０を上げる。この時、前記動力部６０は前記第二巻線器４２の方向に移動し、前記連動コード８０が完全に前記第一巻線器４１内に収納された時、この状態では前記動力部６０を引動かしていないので前記弾性部材７０は圧縮された状態を示す。
３．図６を参照すると、前記簾部材３０を展開して遮光、遮陽する場合、使用者は前記下梁２０を引いて前記簾部材３０を下ろす。この時、下に引く力量は前記弾性部材７０の弾力より大きい必要がある。故に引いて前記簾部材３０を展開し、そして前記下梁２０を引下ろして前記動力部６０を前記第一巻線器４１の方向に移動させるので、前記第一巻線器４１の前記第一巻線ローラーセット５１と前記第二巻線ローラーセット５２上の前記連動コード８０は伸び、前記弾性部材７０は前記動力部６０に引っ張られ空間収縮効果を達成させ、前記空間収縮効果は前記簾部材３０の下降距離と連動し、且つ前記簾部材３０を安定して下方に展開させる。
【実施例２】
【００１６】
４．図７を参照すると、上述の直接簾部材をコントロールする方式以外に、本考案の創意概念に基づいて光を調節できる簾部材構造として応用させることができる。前記構造は、上梁１０’と、中梁２０’と、下梁３０’とを含み、前記中梁２０’と前記下梁３０’の間には連結に用いられる簾部材４０’が設置され、前記上梁１０’内には第一巻線器５１’と第二巻線器５２’が設置され、その構造配置の大きさは第一実施例の方式と同じであり、その構造の違いはこの実施方式には第一動力部７１’と第二動力部７２’が設置されことであり、前記第一動力部７１’は第一連動コード８１’を備え、前記第一連動コード８１’は前記第一巻線器５１’の第一巻線ローラーセット６１’と第二巻線ローラーセット６２’に巻かれた後、コード孔１１’を通り前記中梁２０’に固結し、前記第二動力部７２’は第二連動コード８２’を備え、前記第二連動コード８２’は前記第二巻線器５２’の前記第一巻線ローラーセット６１’と前記第二巻線ローラーセット６２’に巻かれた後、前記コード孔１１’を通り前記下梁３０’に固結する。本実施例の方式においては、使用方式は第一実施方式と大概同じであり、違いは前記第一巻線器５１’を前記中梁２０’の位置のコントロールに用いる点であり、故に室内で光の調節が必要な場合、前記中梁２０’を引動かすだけで光の調整効果を達成させることができる。
【００１７】
以上により、本考案は主に巻線器と動力部の構造を変化させることを通じて、前述の両者に対応する数のローラーセットを取付け、上梁の限られたスペース内に更に多くのコードの長さを儲存することができるので、自由に増長型の簾部材に適用し必要な長さに変化させることができ、簾材部を更にスムーズに連動させることができる。且つこの構造は未だ刊行物には見当たらず、また公開もされておらず、実用新案申請の条件に適う。
【００１８】
本考案は当業者であれば諸般の修飾が可能であるが、いずれも後付の実用新案登録請求の範囲の保護範囲に含まれる。
【符号の説明】
【００１９】
１０    上梁
１１    取付け空間
１２    第一ガイドレール
１３    第二ガイドレール
１４    コード孔
２０    下梁
３０    簾部材
４１    第一巻線器
４２    第二巻線器
４３    固定端
４４    固定端
４５    巻線ローラー台
４５１  隔板
４５２  軸スロット
４６    巻線ローラー台
４６１  隔板
４６２  軸スロット
４７    フック
４８    フック
５１    第一巻線ローラーセット
５２    第二巻線ローラーセット
５３    軸心
５４    巻線エリア
６０    動力部
６１    座体
６２    隔板
６２１  軸スロット
６３    フック
７０    弾性部材
８０    連動コード
１０’  上梁
２０’  中梁
３０’  下梁
１１’  コード孔
４０’  簾部材
５１’  第一巻線器
５２’  第二巻線器
６１’  第一巻線ローラーセット
６２’  第二巻線ローラーセット
７１’ 第一動力部
７２’  第二動力部
８１’  第一連動コード
８２’  第二連動コード
【図１】
0003220067.tif 000003
【図２】
0003220067.tif 000004
【図３】
0003220067.tif 000005
【図４】
0003220067.tif 000006
【図５】
0003220067.tif 000007
【図６】
0003220067.tif 000008
【図７】
0003220067.tif 000009
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
コードレス簾部材の連動構造であり、主に上梁と下梁を含み、前記上梁と前記下梁との間には連結する部材が設けられ、前記上梁の両側にはそれぞれ相対に設置する巻線器及び巻線器と連動効果を生成する動力部が設けられ、巻線器と前記動力部内部に第一巻線ローラーセットと第二巻線ローラーセットが取付けられ、
前記上梁はＵ字型断面の柱体であり、前記上梁が取付け空間を備え、前記取付け空間が二つのガイドレールを設け、二つの前記ガイドレールが第一ガイドレールと第二ガイドレールに定義することができ、二つの前記ガイドレールの間には二つの貫通するコード孔を設け、
二つの前記巻線器が第一巻線器と第二巻線器に定義することができ、それぞれ前記上梁の前記第一ガイドレールと前記第二ガイドレールの両側に設置され、前記第一巻線器と前記第二巻線器が固定端と巻線ローラー台を設置し、各前記固定端の底部が二つの固設部を備え前記上梁に固設し、又各前記固定端が外側の方向に向くフックを設置し、
前記動力部が前記第一ガイドレール上に設置され、前記動力部が座体を備え、前記座体上には前記第一巻線ローラーセットと前記第二巻線ローラーセットが設置され、連動コードが前記動力部の前記第一巻線ローラーセットと前記第二巻線ローラーセットを通じて巻かれた後に前記第一巻線器の前記第一巻線ローラーセットと前記第二巻線ローラーセットに巻かれ、更に前記連動コードを前記コード孔に通し前記下梁に固結させ、又、前記動力部の前記第一巻線ローラーセットと前記第二巻線ローラーセットと相対する 側にはフックが設けられ、前記フックが弾性部材を通じて前記第二巻線器の前記固定端の前記フックに掛かり、
故に、前記下梁を引下ろすことで前記動力部を前記第一巻線器の方向に移動させ、部材を展開させることができ、前記下梁を推上げた場合、前記弾性部材が前記動力部を引くことで前記動力部を前記第二巻線器方向に移動させ、部材を収納することができることを特徴とする、コードレス簾部材の連動構造。
【請求項２】
各前記巻線ローラー台中央が隔板を設け、前記第一巻線ローラーセットと前記第二巻線ローラーセットが前記隔板上に設置されるようにし、且つ前記隔板がＶ字型の軸スロットを設けることを特徴とする、請求項１に記載のコードレス簾部材の連動構造。
【請求項３】
前記第一巻線ローラーセットと前記第二巻線ローラーセットのローラーの直径の大きさが異なることを特徴とする、請求項２に記載のコードレス簾部材の連動構造。
【請求項４】
各前記第一巻線ローラーセットと前記第二巻線ローラーセットがいずれも三つのローラーリングと、ローラーリングの連接に用いられる一つの軸心とを備え、各ローラーリングの間には巻線エリアが形成されることを特徴とする、請求項１に記載のコードレス簾部材の連動構造。
【請求項５】
コードレス簾部材の連動構造であり、上梁と、中梁と、下梁とを含み、前記中梁と前記下梁の間には連結に用いられる簾部材が設置され、前記上梁内には第一巻線器と第二巻線器と第一動力部と第二動力部が設置され、前記第一動力部が第一連動コードを備え、前記第一連動コードが前記第一巻線器の第一巻線ローラーセットと第二巻線ローラーセットに巻かれた後、コード孔を通り前記中梁に固結し、前記第二動力部が第二連動コードを備え、前記第二連動コードが前記第二巻線器の前記第一巻線ローラーセットと前記第二巻線ローラーセットに巻かれた後、前記コード孔を通り前記下梁に固結し、故に前記第一巻線器が前記中梁の位置をコントロールするのに用いられ、室内で光の調節が必要な場合、前記中梁を引動かすだけで、光の調整効果を達成させることができることを特徴とする、コードレス簾部材の連動構造。